(57)【要約】    【課題】簡単な構造で内枠の基部側の剛性を向上でき、しかも内枠と開閉扉間の間隙を突いた不正行為を防止できるようにする。    【解決手段】外枠２と、基部側がヒンジ４により外枠２に開閉自在に枢着された内枠３と、内枠３の前側に配置され且つ基部側がヒンジ８により内枠３に開閉自在に枢着された開閉扉６とを備え、内枠３は基部側を補強する枠補強板４４を内枠３の上下の略全長に備え、枠補強板４４はその側壁部４６の前端から左右方向の内側に屈曲し且つ開閉扉６，７の上下の略全長に対応する前重合部４７を有し、開閉扉６は基部側の上下の略全長に、開閉扉６を閉じたときに前重合部４７の裏側に重合する後重合部６１を有する。【選択図】  図５
2010057977.tif 000002
【特許請求の範囲】
【請求項１】
外枠（２）と、基部側がヒンジ（４）により前記外枠（２）に開閉自在に枢着された内枠（３）と、該内枠（３）の前側に配置され且つ基部側がヒンジ（８）（９）により前記内枠（３）に開閉自在に枢着された開閉扉（６）（７）とを備えた遊技機において、前記内枠（３）は前記基部側を補強する枠補強板（４４）を該内枠（３）の上下の略全長に備え、該枠補強板（４４）はその側壁部（４６）の前端から左右方向の内側に屈曲し且つ前記開閉扉（６）（７）の上下の略全長に対応する前重合部（４７）を有し、前記開閉扉（６）（７）は前記基部側の上下の略全長に、該開閉扉（６）（７）を閉じたときに前記前重合部（４７）の裏側に重合する後重合部（６１）を有することを特徴する遊技機。
【請求項２】
前記枠補強板（４４）は前記外枠（２）の前側で前記内枠（３）の前記基部側の裏面に当接する後壁部（４５）と、該後壁部（４５）の左右方向の外端から前記内枠（３）の外側面に沿って前側に屈曲する前記側壁部（４６）と、該側壁部（４６）の前端側から内側に屈曲する前記前重合部（４７）とを一体に備えた板金製であることを特徴とする請求項１に記載の遊技機。
【請求項３】
前記開閉扉（６）（７）の裏面にその少なくとも前記基部側を補強する扉補強板（５７）（６９）を設け、該扉補強板（５７）（６９）の端部に前記後重合部（６１）を一体に形成したことを特徴とする請求項１又は２に記載の遊技機。
【請求項４】
前記開閉扉は前記内枠（３）側の遊技盤（１０）の前側に配置されたガラス扉（６）であり、該ガラス扉（６）はその窓孔（１２）に対応する開口が形成された扉補強板（５７）を裏面に備え、該扉補強板（５７）の裏側にガラスユニット（５８）が当接していることを特徴とする請求項１又は２に記載の遊技機。
【請求項５】
前記開閉扉は前記内枠（３）の遊技盤（１０）へと遊技球を発射する発射手段（１８）の前側に配置された前面扉（７）であり、該前面扉（７）の前面に、発射用の遊技球を貯留する受け皿（１７）を、該前面扉（７）の裏面に、前記受け皿（１７）からの遊技球を前記発射手段（１８）へと供給する球供給手段（６８）を夫々備えていることを特徴とする請求項１〜４の何れかに記載の遊技機。
【発明の詳細な説明】
【技術分野】
【０００１】
本発明は、弾球遊技機等の遊技機に関し、内枠及び開閉扉の基部側の強度の向上、及び基部側での不正行為の防止を企図したものである。
【背景技術】
【０００２】
遊技球を使用してゲームを行う遊技機には、パチンコ機に代表される弾球遊技機等がある。この種の遊技機は、外枠と、基部側が外枠に開閉自在に枢着された内枠とを備え、内枠の上部に、遊技盤を前側から覆う開閉式のガラス扉を配置し、内枠の下部に、遊技盤へと遊技球を発射する発射手段を前側から覆う開閉式の前面扉を設けている。
【０００３】
内枠には、リサイクル化を容易にするために合成樹脂により一体成型し、特に強度が要求される基部側は、その裏側に設けた不正防止兼用の補強板で補強するようにしたものがある（特許文献１）。
【先行技術文献】
【特許文献】
【０００４】
【特許文献１】特開２００３−１７５２４０号公報
【発明の概要】
【発明が解決しようとする課題】
【０００５】
従来の構造では、内枠の裏側に、後部が突出するように遊技盤を装着している関係から、内枠の側縁部の裏側に設けた補強板により、遊技盤の裏側に対する不正行為を防止するようにしている。
【０００６】
しかし、弾球遊技機を島設備に装着した場合、内枠の側縁部から前側が島設備から前側に突出するため、内枠とその前側のガラス扉との隙間が不正行為の対象となりやすい傾向にあるにも拘わらず、従来の構造では、この点の対策がなされていない。即ち、従来の内枠は、内枠の側縁部を前側に円弧状に屈曲させて剛性を確保しているが、側縁部とガラス扉との間には大きな隙間があり、その隙間からピアノ線、セル板等の不正部材を挿入して遊技盤側の遊技釘を曲げる等の不正が行われる惧れがある。
【０００７】
特に最近の弾球遊技機では、遊技盤の遊技領域の拡大化に伴い内枠及びガラス扉の左右両側部の幅が非常に狭くなっている。従って、施錠手段のない基部側では内枠及びガラス扉の左右両側部の強度も低下し、しかも不正部材の挿入時の通過幅も短いことから、両者の間に僅かでも隙間があればその部分から遊技領域内への不正部材の挿入も容易になり、不正行為を招き易くなる。
【０００８】
本発明は、このような従来の問題点に鑑み、簡単な構造で内枠の基部側の剛性を向上できると共に、内枠と開閉扉間の間隙を突いた不正行為を防止できる遊技機を提供することを目的とする。
【課題を解決するための手段】
【０００９】
本発明は、外枠２と、基部側がヒンジ４により前記外枠２に開閉自在に枢着された内枠３と、該内枠３の前側に配置され且つ基部側がヒンジ８，９により前記内枠３に開閉自在に枢着された開閉扉６，７とを備えた遊技機において、前記内枠３は前記基部側を補強する枠補強板４４を該内枠３の上下の略全長に備え、該枠補強板４４はその側壁部４６の前端から左右方向の内側に屈曲し且つ前記開閉扉６，７の上下の略全長に対応する前重合部４７を有し、前記開閉扉６，７は前記基部側の上下の略全長に、該開閉扉６，７を閉じたときに前記前重合部４７の裏側に重合する後重合部６１を有するものである。
【００１０】
前記枠補強板４４は前記外枠２の前側で前記内枠３の前記基部側の裏面に当接する後壁部４５と、該後壁部４５の左右方向の外端から前記内枠３の外側面に沿って前側に屈曲する前記側壁部４６と、該側壁部４６の前端側から内側に屈曲する前記前重合部４７とを一体に備えた板金製でもよい。
【００１１】
前記開閉扉６，７の裏面にその少なくとも前記基部側を補強する扉補強板５７，６９，を設け、該扉補強板５７，６９の端部に前記後重合部６１を一体に形成してもよい。前記開閉扉は前記内枠３側の遊技盤１０の前側に配置されたガラス扉６であり、該ガラス扉６はその窓孔１２に対応する開口が形成された扉補強板５７を裏面に備え、該扉補強板５７の裏側にガラスユニット５８が当接してもよい。
【００１２】
前記開閉扉は前記内枠３の遊技盤１０へと遊技球を発射する発射手段１８の前側に配置された前面扉７であり、該前面扉７の前面に、発射用の遊技球を貯留する受け皿１７を、該前面扉７の裏面に、前記受け皿１７からの遊技球を前記発射手段１８へと供給する球供給手段６８を夫々備えていてもよい。
【発明の効果】
【００１３】
本発明によれば、簡単な構造で内枠の基部側の剛性を向上できると共に、内枠と開閉扉間の間隙を突いた不正行為を防止できる。
【図面の簡単な説明】
【００１４】
【図１】本発明の第１の実施例を示すパチンコ機の斜視図である。
【図２】同遊技機本体側の斜視図である。
【図３】同遊技機本体側の正面図である。
【図４】同パチンコ機の平面断面図である。
【図５】同要部の拡大断面図である。
【図６】同要部の拡大断面図である。
【図７】同ガラス扉の開状態の拡大断面図である。
【図８】同ガラス扉の背面図である。
【図９】同ガラス扉の斜視図である。
【図１０】同前面扉の斜視図である。
【図１１】本発明の第２の実施例を示す要部の拡大断面図である。
【図１２】本発明の第３の実施例を示す要部の拡大断面図である。
【図１３】本発明の第４の実施例を示す要部の拡大断面図である。
【発明を実施するための形態】
【００１５】
以下、本発明の実施形態を図面に基づいて詳述する。図１〜図１０は本発明をパチンコ機に採用した第１の実施例を例示している。図１〜図３において、遊技機本体１は、矩形状の外枠２と、この外枠２の前側に配置された内枠３とを備えている。内枠３は基部側が外枠２の前側で上下一対のヒンジ４により開閉自在に枢着され且つ基部側と反対の遊端側が施錠手段５により外枠２に施錠されている。内枠３の前側には、ガラス扉６と前面扉７とが上下に配置されている。ガラス扉６、前面扉７は開閉扉の一例であって、基部側がヒンジ４と略同一軸心上のヒンジ８，９により内枠３に開閉自在に枢着され、基部側と反対の遊端側が施錠手段（図示省略）により内枠３に施錠されている。
【００１６】
内枠３には遊技盤１０が着脱自在に装着され、その遊技盤１０がガラス扉６により前側から覆われている。ガラス扉６は遊技盤１０の遊技領域１１に対応する窓孔１２を有し、その窓孔１２の外周が化粧カバー１３，１４により前側から覆われている。なお、化粧カバー１３，１４の上部側の左右隅部には、スピーカ１５用の音出し口１６が設けられている。前面扉７の前面には、発射用の遊技球を貯留する受け皿１７、発射手段１８用の発射ハンドル１９、灰皿２０及び化粧カバー２１が設けられている。なお、化粧カバー２１には、発射ハンドル１９の基部周辺にスピーカ２２用の音出し口２３が設けられている。
【００１７】
外枠２は図２に示すように、左右一対の側枠部２４と、左右一対の側枠部２４の上下両端を左右に連結する上枠部２５及び下枠部２６と、左右一対の側枠部２４の下端部間の前面に装着された下前板部２７とを有する。なお、外枠２は少なくともヒンジ４と反対側の側枠部２４が合成樹脂製であり、この側枠部２４には図５に示すように内枠３側の施錠手段５の施錠機構２８に対応して切欠き部２９が設けられている。
【００１８】
内枠３は合成樹脂製、アルミ製等の一体成型品であって、外枠２内に嵌合する嵌合部３０の他に、嵌合部３０の前端側から外側に突出して外枠２の側枠部２４の前面側、上枠部２５の前面側、及び下前板部２７の上側に夫々対応する前側枠部３１、前上枠部３２及び前下枠部３３を一体に備えている。
【００１９】
嵌合部３０は正面視矩形筒状で、図４に示すように後端側が遊技盤１０の裏側を覆う裏カバー３４により閉塞されている。そして、嵌合部３０には、その前後方向の中間の遊技盤１０が前側から当接する段部３５が設けられ、この段部３５から前側の内周が、遊技盤１０を前側から着脱自在に装着するための装着部３６となっている。装着部３６には回動式の締結具３７がその上壁側、下壁側から夫々突出して設けられ、装着部３６内に嵌め込まれた遊技盤１０をその締結具３７により固定するようになっている。
【００２０】
前側枠部３１は外枠２の左右一対の側枠部２４の前面に対応して左右一対あり、その上端間に外枠２の上枠部２５の前面に対応する前上枠部３２が、下端間に外枠２の下前板部２７の上面に対応する前下枠部３３が夫々設けられ、全体として正面視矩形状に構成されている。また各前側枠部３１と前上枠部３２との内側の左右上隅部には隅板部３８が、内側の下部に支持板部４０が一体に設けられている。隅板部３８にはスピーカ１５等が設けられている。
【００２１】
左右の前側枠部３１は図４〜図６に示すように、嵌合部３０の前端側から外枠２の側枠部２４の前端面、遊技盤１０等と略平行に外側へと突出する板状の後縁部４１と、この後縁部４１の外端から前側に屈曲する板状の側縁部４２とを有し、後縁部４１の内端側から前側に突出するリブ状の補強部４３が設けられている。
【００２２】
基部側の前側枠部３１には、その上下の略全長にわたる板金製の枠補強板４４が装着され、この枠補強板４４により前側枠部３１が補強されている。枠補強板４４は後縁部４１の裏面に当接する後壁部４５と、この後壁部４５の外端から側縁部４２の外側面に沿って前側に屈曲し当接する側壁部４６と、側縁部４２との間に所定の隙間を置いて側壁部４６の前端から内側に屈曲する前重合部４７とを一体に有し、内枠３の前側枠部３１を覆うように後壁部４５がネジ等で前側枠部３１に固定されている。
【００２３】
なお、基部側の前側枠部３１の枠補強板４４を含む前後の寸法は、図５〜図７に示すように施錠手段５側の前側枠部３１の前後の寸法よりも小さくなっており、その枠補強板４４と外枠２の側枠部２４間、枠補強板４４とガラス扉６間には、内枠３、ガラス扉６をヒンジ８，９廻りに開閉できるように所定の隙間が設けられている。
【００２４】
施錠手段５側の前側枠部３１には、図６に示すように、その裏面に施錠機構２８が装着されている。また施錠手段５側の前側枠部３１の前端は、基部側の前側枠部３１よりも前側に突出しており、その前面にガラス扉６が当接するようになっている。
【００２５】
遊技盤１０はその前面側に発射手段１８からの遊技球を案内するガイドレール４８が設けられ、このガイドレール４８の内側が略円形状の遊技領域１１となっている。また遊技盤１０の前面には、ガイドレール４８、遊技領域１１等の外側に飾り部材４９が装着されている。遊技盤１０は嵌合部３０内の装着部３６に前側から着脱自在に嵌合され、段部３５に当接した状態で上下の締結具３７により固定されている。なお、遊技領域１１には、図示省略した液晶表示手段、大入賞手段等の複数の遊技部品が装着されている。
【００２６】
支持板部４０は内枠３の遊技盤１０から下側に左右の前側枠部３１、前下枠部３３と一体に形成されている。支持板部４０の左右方向の中央部には、その前面に配置された発射レール５０、打撃槌５１等を有する発射手段１８が設けられ、遊技者が発射ハンドル１９を操作したときに、発射レール５０上に供給される遊技球を打撃槌５１で打撃して遊技盤１０のガイドレール４８側へと発射させるようになっている。また支持板部４０には、発射ハンドル１９側の音出し口２３に対応してその裏側にスピーカ２２が装着され、更にスピーカ２２と反対側には前面扉７側の球誘導路５２が嵌合する開口５３が形成されている。
【００２７】
ヒンジ４，８，９は、内枠３の側縁部４２よりも前側で上下方向の略同一軸心上に配置されたヒンジ軸５４を備えている。そして、ヒンジ４は内枠３を外枠２に、ヒンジ８はガラス扉６を内枠３に、ヒンジ９は前面扉７を内枠３に夫々その上下両端側で着脱、開閉自在に枢着している。
【００２８】
ガラス扉６は図４〜図９に示すように遊技盤１０の遊技領域１１に対応する窓孔１２を有し、板状の扉枠５５と、扉枠５５の裏面に装着された扉補強板５７と、扉補強板５７の裏面に着脱自在に装着されたガラスユニット５８と、扉枠５５の前面に装着された化粧カバー１３，１４とを備え、化粧カバー１３の内部に発光表示手段が組み込まれている。
【００２９】
扉枠５５は合成樹脂製の平板状であって、裏面に装着された板金製の扉補強板５７により補強されると共に、ヒンジ８のヒンジ軸５４よりも後方に配置されている。扉補強板５７は扉枠５５と略同形状であって、窓孔１２に対応する内周には扉枠５５の内周面に沿って前側へと屈曲する屈曲部５９が、外周側の４辺には裏側へと屈曲するリブ状の屈曲部６０が夫々設けられており、所定の剛性を有する構造となっている。屈曲部５９の内側が扉補強板５７の開口となっている。
【００３０】
扉補強板５７の基部側には、屈曲部６０の後端から外側へと屈曲する後重合部６１が上下の略全長に設けられている。後重合部６１はガラス扉６を閉じたときに、枠補強板４４の内側からその前重合部４７の裏面に当接又は近接して前後に重合するようになっている。なお、内枠３の前側枠部３１の前側で前重合部４７の内側部分、前側枠部３１と前重合部４７との間には、ガラス扉６の開閉時に後重合部６１と干渉しないように所定の空間がある。
【００３１】
ガラスユニット５８は合成樹脂製の環状の保持枠６２と、この保持枠６２の前後に装着された２枚のガラス板６３，６４とを備えた中空状であり、扉補強板５７の裏側に設けられた複数の固定手段６５により、その保持枠６２側で扉補強板５７の裏面に着脱自在に固定されている。
【００３２】
前面扉７は図１０に示すように、板金製の扉板６６の前面に受け皿１７の皿カバー６７、化粧カバー２１、発射ハンドル１９等が装着されると共に、裏面の中央に、発射手段１８の発射動作に連動して受け皿１７からの遊技球を１個ずつ発射手段１８の発射レール５０上に供給する球供給手段６８が装着されている。また前面扉７の基部側の裏面には、板金製の扉補強板６９が上下の略全長に設けられ、この扉補強板６９の端部にガラス扉６側の扉補強板５７の屈曲部６０、後重合部６１と同様に屈曲部７０、後重合部７１が上下の略全長に設けられている。後重合部７１は前面扉７を閉じたときに、枠補強板４４の内側からその前重合部４７の裏面に当接又は近接して前後に重合するようになっている。
【００３３】
このような構成のパチンコ機では、内枠３の基部側をその上下の略全長にわたる枠補強板４４で補強しているため、内枠３の基部側の剛性が向上し、遊技領域１１の広い遊技盤１０を使用する場合でも所定の強度を容易に確保できる。
【００３４】
また枠補強板４４にはその側壁部４６の前端から左右方向の内側に屈曲してガラス扉６、前面扉７の上下の略全長に対応する前重合部４７があり、ガラス扉６、前面扉７の扉補強板５７，６９には、これらを閉じたときに前重合部４７の裏側に重合する後重合部６１，７１がその基部側の上下の略全長にあるため、従来に比較して内枠３とガラス扉６、前面扉７との間からピアノ線、セル板等の不正部材を挿入することが非常に困難になり、この部分から不正部材を挿入して遊技盤１０の遊技釘を曲げたり、発射手段１８に不正を働いたりする等の不正行為を簡単な構造で容易に防止できる。
【００３５】
特にガラス扉６、前面扉７側の後重合部６１，７１が内枠３の枠補強板４４の前重合部４７に対して裏側から重合する構造であるため、ガラス扉６、前面扉７の基部側に対して、その上下のヒンジ８，９間で前側に引っ張る等の外力を加えても、後重合部６１，７１が枠補強板４４の前重合部４７に係合するだけであって、ガラス扉６、前面扉７の基部側が変形する等の惧れもなく、不正行為は勿論のこと、ガラス扉６、前面扉７の基部側の損傷も確実に防止できる。
【００３６】
しかも枠補強板４４は外枠２の前側で内枠３の基部側の裏面に当接する後壁部４５と、この後壁部４５の左右方向の外端から内枠３の外側面に沿って前側に屈曲する側壁部４６と、この側壁部４６の前端側から内側に屈曲する前重合部４７とを一体に備えた板金製であるため、枠補強板４４自体の強度が増大し、比較的薄手の枠補強板４４を使用しながらも、十分な補強効果を得ることができる。
【００３７】
扉補強板５７，６９はガラス扉６、前面扉７の裏面の少なくとも基部側にあり、この扉補強板５７，６９の端部に後重合部６１を一体に形成しているため、ガラス扉６、前面扉７の基部側の強度も向上する。
【００３８】
図１１は本発明の第２の実施例を例示する。この実施例では、ガラス扉６、前面扉７のヒンジ軸５４廻りの開閉を損なわない範囲内において、枠補強板４４の前重合部４７が側壁部４６の前端から内側後方向きに、枠補強板４４の後重合部６１が屈曲部６０の後端から外側前方向きに夫々鋭角状に屈曲している。このようにすれば、ヒンジ軸５４の中心から後重合部６１までの寸法を短くでき、他の構成部材との干渉等がない限り内枠３の基部側の前後方向の寸法を大にできる利点がある。
【００３９】
図１２は本発明の第３の実施例を例示する。この実施例では、内枠３の枠補強板４４の後壁部４５が、ヒンジ軸５４を中心とする円弧状に形成され、この後壁部４５の内端の係合部７３が内枠３の前側枠部３１の裏面側の係合溝７４に係合するようにしている。このようにすれば、外枠２と内枠３の基部との間の隙間を小さくできる。なお、枠補強板４４の側壁部４６と前重合部４７、扉補強板５７の屈曲部６０と後重合部６１は夫々Ｊ字状に構成されている。
【００４０】
図１３は本発明の第４の実施例を例示する。この実施例では、枠補強板４４は埋め込み部７５を有し、その埋め込み部７５が内枠３の前側枠部３１内に埋め込まれている。埋め込み部７５には孔７６が形成されている。このように枠補強板４４は、その埋め込み部７５を内枠３の基部側の前側枠部３１内に埋め込んだ状態で合成樹脂材料によりモールド成型することも可能である。
【００４１】
以上、本発明の実施例について詳述したが、本発明はこれらの実施例に限定されるものではなく、本発明の趣旨を逸脱しない範囲で種々の変更が可能である。例えば、実施例では枠補強板４４は横断面が略コ字状又は略Ｌ字状に近い形状のものを例示しているが、枠補強板４４に側壁部４６及び前重合部４７があり、扉補強板５７に後重合部６１があれば十分である。従って、枠補強板４４の横断面は他の形状のものでもよい。
【００４２】
ガラス扉６の扉補強板５７は、扉枠５５の略全体に対応する大きさとし、この扉補強板５７に後重合部６１を一体に設けているが、扉枠５５の略全体に対応するものとは別に、ガラス扉６の基部側を補強する別の補強板に後重合部６１を設けてもよい。またガラス扉６の扉枠５５自体を板金にしたものでは、別途補強板を設けることなく、その扉枠５５自体に後重合部６１を設けてもよい。更に合成樹脂製の枠帯に一体に後重合部６１を設けてもよい。
【００４３】
各実施例では開閉扉としてガラス扉６、前面扉７を例示しているが、その他のものでもよい。また本発明は、パチンコ機に限らず、アレンジボール機、雀球遊技機等の各種の弾球遊技機、更にはその他の遊技機においても同様に実施することが可能である。
【符号の説明】
【００４４】
２  外枠
３  内枠
４，８，９  ヒンジ
６  ガラス扉（開閉扉）
７  前面扉（開閉扉）
１０  遊技盤
１２  窓孔
１８  発射手段
４４  枠補強板
４５  後壁部
４６  側壁部
４７  前重合部
５７，６９  扉補強板
５８  ガラスユニット
６１  後重合部
６９  球供給手段
【図１】
2010057977.tif 000003
【図２】
2010057977.tif 000004
【図３】
2010057977.tif 000005
【図４】
2010057977.tif 000006
【図５】
2010057977.tif 000007
【図６】
2010057977.tif 000008
【図７】
2010057977.tif 000009
【図８】
2010057977.tif 000010
【図９】
2010057977.tif 000011
【図１０】
2010057977.tif 000012
【図１１】
2010057977.tif 000013
【図１２】
2010057977.tif 000014
【図１３】
2010057977.tif 000015
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
外枠（２）と、基部側がヒンジ（４）により前記外枠（２）に開閉自在に枢着された内枠（３）と、該内枠（３）の前側に配置され且つ基部側がヒンジ（８）（９）により前記内枠（３）に開閉自在に枢着された開閉扉（６）（７）とを備えた遊技機において、前記内枠（３）はその前記基部側の前側枠部（３１）を補強する枠補強板（４４）を該前側枠部（３１）の上下の略全長に備え、該枠補強板（４４）は前記前側枠部（３１）の左右方向の外側面に当接し且つ前端が前記前側枠部（３１）よりも前側に突出する側壁部（４６）と、前記前側枠部（３１）との間に所定の間隙をおいて前記側壁部（４６）の前端から左右方向の内側に屈曲し且つ前記開閉扉（６）（７）の上下の略全長に対応する前重合部（４７）とを一体に有し、前記開閉扉（６）（７）はその少なくとも前記基部側を補強する扉補強板（５７）（６９）を裏面に備え、該扉補強板（５７）（６９）は前記開閉扉（６）（７）を閉じたときに前記間隙で前記前重合部（４７）の裏側に近接又は当接し重合する後重合部（６１）を前記基部側の上下の略全長に有することを特徴する遊技機。
【手続補正２】
【補正対象書類名】明細書
【補正対象項目名】０００９
【補正方法】変更
【補正の内容】
【０００９】
本発明は、外枠２と、基部側がヒンジ４により前記外枠２に開閉自在に枢着された内枠３と、該内枠３の前側に配置され且つ基部側がヒンジ８，９により前記内枠３に開閉自在に枢着された開閉扉６，７とを備えた遊技機において、前記内枠３はその前記基部側の前側枠部３１を補強する枠補強板４４を該前側枠部３１の上下の略全長に備え、該枠補強板４４は前記前側枠部３１の左右方向の外側面に当接し且つ前端が前記前側枠部３１よりも前側に突出する側壁部４６と、前記前側枠部３１との間に所定の間隙をおいて前記側壁部４６の前端から左右方向の内側に屈曲し且つ前記開閉扉６，７の上下の略全長に対応する前重合部４７とを一体に有し、前記開閉扉６，７はその少なくとも前記基部側を補強する扉補強板５７，６９を裏面に備え、該扉補強板５７，６９は前記開閉扉６，７を閉じたときに前記間隙で前記前重合部４７の裏側に近接又は当接し重合する後重合部６１を前記基部側の上下の略全長に有するものである。